【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】
使用者が要求する画像を識別する識別子を入力する画像識別子入力手段と、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、
前記記憶手段に記憶された前記画像のうち、前記画像識別子入力手段により入力された前記画像識別子に対応する前記画像を検索する検索手段と、
前記検索手段により検索された前記画像を、前記使用者の通信装置に出力する出力手段と、
前記検索手段により検索された画像に応じて、課金処理を実行する課金手段と
を備えることを特徴とする通信装置。
【請求項２】
前記画像を、前景オブジェクトを構成する前景オブジェクト成分からなる前景成分画像、および、背景オブジェクトを構成する背景オブジェクト成分からなる背景成分画像に分離する分離手段をさらに備え、
前記記憶手段は、前記分離手段により分離された前記前景成分画像と前記背景成分画像を記憶する
ことを特徴とする請求項１に記載の通信装置。
【請求項３】
前記画像が分離された前景オブジェクトを構成する前景オブジェクト成分からなる前景成分画像と、背景オブジェクトを構成する背景オブジェクト成分からなる背景成分画像を所定の混合の比率で合成し、合成画像を生成する合成画像生成手段をさらに備え、
前記記憶手段は、前記合成画像生成手段により生成された前記合成画像を記憶する
ことを特徴とする請求項１に記載の通信装置。
【請求項４】
前記画像を、前景オブジェクトを構成する前景オブジェクト成分からなる前景成分画像、および、背景オブジェクトを構成する背景オブジェクト成分からなる背景成分画像に分離する分離手段と、
前記分離手段により分離された前記前景成分画像と、前記背景成分画像を所定の混合比で合成し、合成画像を生成する合成画像生成手段をさらに備え、
前記記憶手段は、前記合成画像生成手段により生成された前記合成画像を記憶する
ことを特徴とする請求項１に記載の通信装置。
【請求項５】
前記課金手段は、前記検索手段により検索された画像に応じて前記使用者の識別子、前記通信装置の識別子、および、前記検索手段により検索された画像に対応する金額情報を含む課金情報を生成し、前記課金情報に基づいて、前記使用者の金融口座に対して課金処理を実行する
ことを特徴とする請求項１に記載の通信装置。
【請求項６】
前記課金処理に使用される使用者毎のポイントを記憶するポイント記憶手段をさらに備え、
前記課金手段は、前記画像に応じて前記使用者の識別子、前記通信装置の識別子、および、前記検索手段により検索された画像に対応する金額情報を含む課金情報を生成し、前記ポイント記憶手段に記憶されたポイント数を前記金額情報に対応する分だけ減算することにより課金処理を実行する
ことを特徴とする請求項１に記載の通信装置。
【請求項７】
前記出力手段は、前記課金手段により課金処理が完了した後、前記画像を課金処理が完了した前記使用者の通信装置に出力する
ことを特徴とする請求項１に記載の通信装置。
【請求項８】
使用者が要求する画像を識別する識別子を入力する画像識別子入力ステップと、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶ステップと、
前記記憶ステップの処理で記憶された前記画像のうち、前記画像識別子入力ステップの処理で入力された前記画像識別子に対応する前記画像を検索する検索ステップと、
前記検索ステップの処理で検索された前記画像を、前記使用者の通信装置に出力する出力ステップと、
前記検索ステップの処理で検索された画像に応じて、課金処理を実行する課金ステップと
を含むことを特徴とする通信方法。
【請求項９】
使用者が要求する画像を識別する識別子の入力を制御する画像識別子入力制御ステップと、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、
前記記憶制御ステップの処理で記憶が制御された前記画像のうち、前記画像識別子入力制御ステップの処理で入力が制御された前記画像識別子に対応する前記画像の検索を制御する検索制御ステップと、
前記検索制御ステップの処理で検索が制御された前記画像を、前記使用者の通信装置に出力する出力ステップと、
前記検索制御ステップの処理で検索が制御された画像に応じた、課金処理の実行を制御する課金制御ステップと
を含むことを特徴とするコンピュータが読み取り可能なプログラムが記録されている記録媒体。
【請求項１０】
使用者が要求する画像を識別する識別子の入力を制御する画像識別子入力制御ステップと、
画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、
前記記憶制御ステップの処理で記憶が制御された前記画像のうち、前記画像識別子入力制御ステップの処理で入力が制御された前記画像識別子に対応する前記画像の検索を制御する検索制御ステップと、
前記検索制御ステップの処理で検索が制御された前記画像を、前記使用者の通信装置に出力する出力ステップと、
前記検索制御ステップの処理で検索が制御された画像に応じた、課金処理の実行を制御する課金制御ステップと
を実行させるプログラム。
【請求項１１】
第１の通信装置と第２の通信装置からなる通信システムにおいて、
前記第１の通信装置は、
使用者が要求する画像を識別する識別子を入力する画像識別子入力手段と、
前記画像識別子を前記第２の通信装置に送信する画像識別子送信手段と、
前記画像識別子に対応して検索された画像を受信する画像受信手段と
を備え、
前記第２の通信装置は、
前記第１の通信装置より送信されてくる前記画像識別子を受信する画像識別子受信手段と、
前記画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、
前記記憶手段に記憶された前記画像のうち、前記画像識別子受信手段により受信された前記画像識別子に対応する前記画像を検索する検索手段と、
前記検索手段により検索された前記画像を、前記第１の通信装置に出力する出力手段と、
前記検索手段により検索された画像に応じて、課金処理を実行する課金手段と
を備える
ことを特徴とする通信システム。
【手続補正２】
【補正対象書類名】明細書
【補正対象項目名】０００８
【補正方法】変更
【補正の内容】
【０００８】
【課題を解決するための手段】
本発明の第１の側面の通信装置は、使用者が要求する画像を識別する識別子を入力する画像識別子入力手段と、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、記憶手段に記憶された画像のうち、画像識別子入力手段により入力された画像識別子に対応する画像を検索する検索手段と、検索手段により検索された画像を、使用者の通信装置に出力する出力手段と、検索手段により検索された画像に応じて、課金処理を実行する課金手段とを備えることを特徴とする。
【手続補正３】
【補正対象書類名】明細書
【補正対象項目名】００１５
【補正方法】変更
【補正の内容】
【００１５】
本発明の第１の側面の通信方法は、使用者が要求する画像を識別する識別子を入力する画像識別子入力ステップと、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶ステップと、記憶ステップの処理で記憶された画像のうち、画像識別子入力ステップの処理で入力された画像識別子に対応する画像を検索する検索ステップと、検索ステップの処理で検索された画像を、使用者の通信装置に出力する出力ステップと、検索ステップの処理で検索された画像に応じて、課金処理を実行する課金ステップとを含むことを特徴とする。
【手続補正４】
【補正対象書類名】明細書
【補正対象項目名】００１６
【補正方法】変更
【補正の内容】
【００１６】
本発明の第１の側面のプログラムは、使用者が要求する画像を識別する識別子の入力を制御する画像識別子入力制御ステップと、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、記憶制御ステップの処理で記憶が制御された画像のうち、画像識別子入力制御ステップの処理で入力が制御された画像識別子に対応する画像の検索を制御する検索制御ステップと、検索制御ステップの処理で検索が制御された画像を、使用者の通信装置に出力する出力ステップと、検索制御ステップの処理で検索が制御された画像に応じた、課金処理の実行を制御する課金制御ステップとを含むことを特徴とする。
【手続補正５】
【補正対象書類名】明細書
【補正対象項目名】００１７
【補正方法】変更
【補正の内容】
【００１７】
本発明の第１の側面のプログラムは、使用者が要求する画像を識別する識別子の入力を制御する画像識別子入力制御ステップと、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像の記憶を制御する記憶制御ステップと、記憶制御ステップの処理で記憶が制御された画像のうち、画像識別子入力制御ステップの処理で入力が制御された画像識別子に対応する画像の検索を制御する検索制御ステップと、検索制御ステップの処理で検索が制御された画像を、使用者の通信装置に出力する出力ステップと、検索制御ステップの処理で検索が制御された画像に応じた、課金処理の実行を制御する課金制御ステップとを実行させることを特徴とする。
【手続補正６】
【補正対象書類名】明細書
【補正対象項目名】００１８
【補正方法】変更
【補正の内容】
【００１８】
本発明の第２の側面の通信システムは、第１の通信装置が、使用者が要求する画像を識別する識別子を入力する画像識別子入力手段と、画像識別子を第２の通信装置に送信する画像識別子送信手段と、画像識別子に対応して検索された画像を受信する画像受信手段とを備え、第２の通信装置が、第１の通信装置より送信されてくる画像識別子を受信する画像識別子受信手段と、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶する記憶手段と、記憶手段に記憶された画像のうち、画像識別子受信手段により受信された画像識別子に対応する画像を検索する検索手段と、検索手段により検索された画像を、第１の通信装置に出力する出力手段と、検索手段により検索された画像に応じて、課金処理を実行する課金手段とを備えることを特徴とする。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】００５８
【補正方法】削除
【補正の内容】
【手続補正４７】
【補正対象書類名】明細書
【補正対象項目名】００５９
【補正方法】変更
【補正の内容】
【００５９】
本発明の第１の側面においては、使用者が要求する画像を識別する識別子が入力され、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像が記憶され、記憶された画像のうち、入力された画像識別子に対応する画像が検索され、検索された画像が、使用者の通信装置に出力され、検索された画像に応じて、課金処理が実行される。
【手続補正４８】
【補正対象書類名】明細書
【補正対象項目名】００６０
【補正方法】変更
【補正の内容】
【００６０】
本発明の第２の側面においては、第１の通信装置により、使用者が要求する画像を識別する識別子が入力され、画像識別子が第２の通信装置に送信され、画像識別子に対応して検索された画像が受信され、第２の通信装置により、第１の通信装置より送信されてくる画像識別子が受信され、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像が記憶され、記憶された画像のうち、受信された画像識別子に対応する画像が検索され、検索された画像が、第１の通信装置に出力され、検索された画像に応じて、課金処理が実行される。
【手続補正４９】
【補正対象書類名】明細書
【補正対象項目名】００６１
【補正方法】削除
【補正の内容】
【手続補正５０】
【補正対象書類名】明細書
【補正対象項目名】００６２
【補正方法】削除
【補正の内容】
【手続補正５１】
【補正対象書類名】明細書
【補正対象項目名】００６３
【補正方法】削除
【補正の内容】
【手続補正５２】
【補正対象書類名】明細書
【補正対象項目名】００６４
【補正方法】削除
【補正の内容】
【手続補正５３】
【補正対象書類名】明細書
【補正対象項目名】００６５
【補正方法】削除
【補正の内容】
【手続補正５４】
【補正対象書類名】明細書
【補正対象項目名】００６６
【補正方法】削除
【補正の内容】
【手続補正５５】
【補正対象書類名】明細書
【補正対象項目名】０８８８
【補正方法】変更
【補正の内容】
【０８８８】
【発明の効果】
本発明の第１の側面によれば、使用者が要求する画像を識別する識別子を入力し、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶し、記憶した画像のうち、入力した画像識別子に対応する画像を検索し、検索した画像を、使用者の通信装置に出力し、検索した画像に応じて、課金処理を実行するようにした。
【手続補正５６】
【補正対象書類名】明細書
【補正対象項目名】０８８９
【補正方法】変更
【補正の内容】
【０８８９】
本発明の第２の側面によれば、第１の通信装置が、使用者が要求する画像を識別する識別子を入力し、画像識別子を第２の通信装置に送信し、画像識別子に対応して検索された画像を受信し、第２の通信装置が、第１の通信装置より送信されてくる画像識別子を受信し、画素毎に、かつ、時間的に積分された画像を構成する光の量に応じて決定される画素値からなる画像データが分離された前景オブジェクトを構成する前景オブジェクト成分からなる前景成分画像、および、背景オブジェクトを構成する背景オブジェクト成分からなる背景成分画像のうち、少なくとも１画像以上の画像により構成される画像を記憶し、記憶した画像のうち、受信した画像識別子に対応する画像を検索し、検索した画像を、第１の通信装置に出力し、検索した画像に応じて、課金処理を実行するようにした。
【手続補正５７】
【補正対象書類名】明細書
【補正対象項目名】０８９０
【補正方法】削除
【補正の内容】
【手続補正５８】
【補正対象書類名】明細書
【補正対象項目名】０８９１
【補正方法】削除
【補正の内容】
【手続補正５９】
【補正対象書類名】明細書
【補正対象項目名】０８９２
【補正方法】削除
【補正の内容】
【手続補正６０】
【補正対象書類名】明細書
【補正対象項目名】０８９３
【補正方法】削除
【補正の内容】
【手続補正６１】
【補正対象書類名】明細書
【補正対象項目名】０８９４
【補正方法】削除
【補正の内容】
【手続補正６２】
【補正対象書類名】明細書
【補正対象項目名】０８９５
【補正方法】削除
【補正の内容】